(57)【要約】【課題】  楽音に同期して画像を表示させる場合に画像ファイルの数を極力減少できるようにする。【解決手段】  一つの画像ファイルＡの中に複数の画像データを記録しておき、画像指定データで指定された画像ファイルの中の一部の画像データを切出範囲データで切り出して読み出すようにする。読み出した切出画像データＣにより、表示位置データにより指定される画像バッファの位置の画像データ上へ上書きする。画像バッファ上の画像データは表示部で表示される。切出範囲データで、切出範囲をタイミングを替えて順次読み出すことにより多様に切り替えた画像を表示部に表示することができる。【選択図】  図３
2006166055.tif 000002
【特許請求の範囲】
【請求項１】
画像ファイルと、楽音用のイベントおよび画像用のイベントからなる演奏データとが記録される記憶手段と、
該記憶手段に記憶されている演奏データにおけるイベントが順に読み出された際に、読み出されたイベントが音楽用のイベントであるか、画像用のイベントであるかを判定する判定手段と、
読み出したイベントが音楽用のイベントと前記判定手段が判定した際に、該音楽用のイベントに基づいて、楽音の発音制御を行なう音源手段と、
前記画像用のイベントには、前記憶手段から読み出す画像ファイルを指定する画像指定データと、該画像指定データで指定された画像ファイル中の読み出す範囲を指定する切出範囲データと、該切出範囲データに基づいて切り出された切出画像データを表示する位置を指定する表示位置データとを有する画像読込イベントが少なくとも含まれており、読み出したイベントが画像用のイベントと前記判定手段が判定すると共に、該画像用のイベントが前記画像読込イベントであった場合は、該画像読込イベントにおける前記画像指定データで指定される前記画像ファイル中から、該画像読込イベントにおける前記切出範囲データで指定される範囲で切出画像データを切り出し、該画像読込イベントにおける前記表示位置データで指定される画像記憶手段における画像データの位置へ前記切出画像データを貼り付ける表示処理手段と、
該画像記憶手段に記憶されている画像データを、表示開始タイミングで表示部に表示する表示手段と、
を備えることを特徴とする楽音と画像の同期再生装置。
【請求項２】
前記画像用のイベントには、前記画像記憶手段に記録された画像データを前記表示部へ表示することを指示する表示開始イベントも含まれており、読み出したイベントが画像用のイベントと前記判定手段が判定すると共に、該画像用のイベントが前記表示開始イベントと判定されたタイミングが、前記表示開始タイミングとされることを特徴とする請求項1記載の楽音と画像の同期再生装置。
【請求項３】
画像ファイルと、楽音用のイベントおよび画像用のイベントからなる演奏データとが記録される記憶手段を備えるコンピュータを、
該記憶手段に記憶されている演奏データにおけるイベントが順に読み出された際に、読み出されたイベントが音楽用のイベントであるか、画像用のイベントであるかを判定する判定手段、
読み出したイベントが音楽用のイベントと前記判定手段が判定した際に、該音楽用のイベントに基づいて、楽音の発音制御を行なう音源手段、
前記画像用のイベントには、前記憶手段から読み出す画像ファイルを指定する画像指定データと、該画像指定データで指定された画像ファイル中の読み出す範囲を指定する切出範囲データと、該切出範囲データに基づいて切り出された切出画像データを表示する位置を指定する表示位置データとを有する画像読込イベントが少なくとも含まれており、読み出したイベントが画像用のイベントと前記判定手段が判定すると共に、該画像用のイベントが前記画像読込イベントであった場合は、該画像読込イベントにおける前記画像指定データで指定される前記画像ファイル中から、該画像読込イベントにおける前記切出範囲データで指定される範囲で切出画像データを切り出し、該画像読込イベントにおける前記表示位置データで指定される画像記憶手段における画像データの位置へ前記切出画像データを貼り付ける表示処理手段、
該画像記憶手段に記憶されている画像データを、表示開始タイミングで表示部に表示する表示手段、
として機能させるようにしたことを特徴とする楽音と画像の同期再生プログラム。
【請求項４】
前記画像用のイベントには、前記画像記憶手段に記録された画像データを前記表示部へ表示することを指示する表示開始イベントも含まれており、読み出したイベントが画像用のイベントと前記判定手段が判定すると共に、該画像用のイベントが前記表示開始イベントと判定されたタイミングが、前記表示開始タイミングとされることを特徴とする請求項３記載の楽音と画像の同期再生プログラム。
【発明の詳細な説明】
【技術分野】
【０００１】
この発明は、楽音と画像を同期して再生するようにした楽音と画像の同期再生装置および同期再生プログラムに関する。
【背景技術】
【０００２】
従来、複数あるパッドスイッチのそれぞれに対応させて記憶領域を設定し、この対応させた記憶領域に１つの画像データを記録しておき、パッドスイッチのいずれかがオン操作された際にオンされたパッドスイッチに対応する記憶領域から画像データを読み出して表示するようにした画像制御装置が知られている（特許文献１参照）。
この画像制御装置においては、画像データとは別に、画像データを制御する映像効果パラメータも記録されており、この映像効果パラメータで、輝度や色合いあるいは表示位置や表示サイズなどを制御するようにしている。具体的には、オン操作されたパッドスイッチに対応する記憶領域から読み出された画像データを映像効果パラメータに基づいて変更し、変更後の画像データをディスプレイに表示するようにしている。
【０００３】
また、ＭＩＤＩ形式の音楽データを扱う際の標準的なファイル形式であるＳＭＦ（Standard MIDI File）による楽音の再生に合わせて、画像を切り替えながら表示することが考えられる。この場合、表示する画像を指示する指示データを、ＳＭＦ中の表示タイミングの位置に記録するようにして、ＳＭＦの再生中に画像表示の指示データが読み出されたタイミングで、その指示データが指示する画像を読み出して表示すればよい。この場合は、表示する画像の数だけの画像ファイルを予め記憶手段に記録しておく必要がある。
【特許文献１】特開２００３−２４４５９４
【発明の開示】
【発明が解決しようとする課題】
【０００４】
このような画像制御装置においては、楽音の再生に合わせて表示した画像の一部を順に変更させて、動画のような効果を出したい場合に、画像データの読み出しを画像ファイル単位で行なうことになり、動きの数だけの画像ファイルが必要となる。このため、１つのＳＭＦ等の演奏データの再生時に利用する画像ファイルの数が多くなって、ファイルの数が多いことから、そのＳＭＦ等の演奏データを取り扱うときの各種作業が煩わしくなるという問題点があった。例えば、ＳＭＦ等の演奏データを別の記録媒体へ移すとき、そのＳＭＦ等の演奏データが使う全画像ファイルも移さなければならない。
【０００５】
そこで、本発明は楽音に同期して画像を表示させる場合に画像ファイルの数を極力減少できるようにした楽音と画像の同期再生装置および同期再生プログラムを提供することを目的としている。
【課題を解決するための手段】
【０００６】
上記目的を達成するために、本発明の楽音と画像の同期再生装置および同期再生プログラムは、画像読込イベントにおける切出範囲データで指定される範囲で画像ファイル中から切出画像データを切り出し、画像読込イベントにおける表示位置データで指定される画像記憶手段における画像データの位置へ切出画像データを上書するようにしたことを最も主要な特徴としている。
【発明の効果】
【０００７】
本発明によれば、１つのファイルに表示させる画像データを複数有させることができる。このため、画像データのファイル数を減少させることができるようになる。
【発明を実施するための最良の形態】
【０００８】
本発明は、楽音に同期して画像を表示させる場合に画像ファイルの数を極力減少できるようにした楽音と画像の同期再生装置および同期再生プログラムを提供するという目的を、画像読込イベントにおける切出範囲データで指定される範囲で画像ファイル中から切出画像データを切り出し、画像読込イベントにおける表示位置データで指定される画像記憶手段における画像データの位置へ切出画像データを上書することで実現した。
【０００９】
本発明の実施例の同期再生プログラムを備える楽音と画像の同期再生装置１の構成を示すブロック図を図１に示す。この同期再生プログラムがパーソナルコンピュータとほぼ同様の構成とされている同期再生装置１において実行されることにより本発明にかかる楽音と画像の同期再生装置が実現されていることになる。
図１に示す同期再生装置１において、ＣＰＵ（Central Processing Unit）１０は同期再生装置１の全体の動作を制御すると共に、同期再生プログラム等の動作ソフトウェアを実行している。ＲＯＭ（Read Only Memory）１１には、ＣＰＵ１０が実行する同期再生プログラム等の動作ソフトウェアが少なくとも格納されており、ＲＡＭ（Random Access Memory）１２には、ＣＰＵ１０のワークエリアや画像ファイル等の各種データの記憶エリアが設定されている。このＲＯＭ１１をフラッシュメモリ等の書き換え可能なＲＯＭとすることで、動作ソフトウェアを書き換え可能となり動作ソフトウェアのバージョンアップを容易に行うことができる。また、ＲＯＭ１１に予め用意された画像ファイルを記憶させておいてもよい。
【００１０】
検出回路１４は、パネル操作子やポインタデバイス等の操作子１３を走査することによって操作子１３のイベントを検出して、イベントのあった操作子１３に対応するイベント出力を出力している。表示回路１６は液晶等の表示部１５を備え、この表示部１５に楽音に同期して画像を表示したり、同期再生装置１における各種設定の画面等を表示部１５に表示している。各種設定の画面では、ＧＵＩ（Graphical User Interface）を利用してユーザが演奏データを選択したり、その再生の開始や終了を指示する等の画面とされている。音源回路１８は波形メモリを備える波形メモリ音源やＦＭ音源等とされ、ＣＰＵ１０の制御に基づいて楽音生成処理を行うことにより楽音波形データを生成している。音源回路１８において生成された楽音波形データは、サウンドシステム１７に供給されアナログ信号に変換されて放音される。サウンドシステム１７では、音量制御や音質制御を行うことが可能とされている。通信インタフェース（Ｉ／Ｆ）２０は、同期再生装置１をＬＡＮ（ローカルエリアネットワーク）やインターネット、電話回線等の通信ネットワークに接続するインタフェースであり、該通信ネットワークを介して、外部制御機器１９と接続することができる。これらの各部は通信バス２１に接続されている。これにより、外部制御機器１９から各種プログラムや画像データ等をダウンロードすることができるようになる。ダウンロードされたプログラムや画像データ等は、ＲＡＭ１２や図示しないハードディスク装置等に格納されるようになる。
【００１１】
このように構成された本発明にかかる同期再生装置１において、ＲＡＭ１２等の記憶装置には複数の画像ファイルと、楽音用のイベントおよび画像用のイベントからなる演奏データとが記録されている。この演奏データは、各種のイベントデータが読み出す順に時系列で記録されており、それぞれのイベントに、そのイベントを処理すべき読み出すタイミングを表わすタイミングデータが対応付けて記録してある。なお、タイミングデータは、例えばＭＩＤＩクロック数の形式で記録してある。
演奏データは、例えばＭＩＤＩ形式の音楽データを扱う際の標準的なファイル形式であるＳＭＦ（Standard MIDI File）とされており、楽音用のイベントおよび画像用のイベントは共にＭＩＤＩ形式のイベントデータとされている。この場合、楽音用のイベントとは、楽音の発音に係る処理を指示する各種のイベントデータのことであり、具体的にはノートオン、ノートオフ、プログラムチェンジ、コントロールチェンジなどのイベントデータとされている。演奏データを再生している際に、この楽音用のイベントが読み出されたと判定された時に、楽音用のイベントは音源回路１８に送られてイベントに応じた楽音波形データの生成処理が音源回路１８で行われる。
【００１２】
ＲＡＭ１２等に記憶されている本発明において特徴的な画像ファイルのイメージを図２に示す。図２に示すように画像ファイルＡには、複数の画像データＢをつなぎ合わせて作成した一枚の画像データを記録している。この画像データＢは、例えば、楽音の再生に合わせて表示した画像の一部を順に変更させて、動画のような効果を出したい場合の動きを出すために順次変化していく部分の画像データとされる。具体的には、表示部１５に表示された人の手が動くように表示するために、手が順次動いていく複数枚の画像データが画像ファイルＡの画像データＢとして順次記録されている。そこで、この複数枚の画像データＢを画像ファイルＡから表示する順序で一枚ずつ切り出して読み出し、読み出した画像データＢで画像バッファにおける手の部分の画像データを順次書き換えて表示して行くことにより、表示部１５に手が動くように表示されるようになる。
【００１３】
ところで、画像用のイベントとは、画像の表示に係る処理を指示する以下に示す各種のイベントデータのことであり、ＭＩＤＩ規格のエクスクルーシブメッセージの形式で規定されて記録されている。演奏データを再生している際に、この画像用のイベントが読み出されたと判定された時は、その画像用のイベントに対応する処理を同期再生プログラムで実行する。この画像用のイベントには以下に説明する画像読込イベント、表示開始イベント、表示終了イベントおよび特殊表示イベントが定義されている。
【００１４】
１．画像読込イベント
画像データを画像バッファへ読み込むことを指示するイベントであり、次の３つのデータを必ず含んでいる。
ａ．読み込む画像データの画像ファイルを指定する画像指定データ。
ｂ．画像指定データで指定された画像ファイルのうちの読み込む範囲（画像ファイル上の切り出す範囲）を指定する切出範囲データ。
ｃ．切出範囲データに基づいて読み込んだ画像データ（切出画像データ）の、表示部１５上での表示位置を指定する表示位置データ。
【００１５】
この画像読込イベントにより読み出されて表示される画像データの態様を図３に示す。画像読込イベントにおける画像指定データにより、ＲＡＭ１２等に記憶されている図２のような画像ファイルＡが指定されたとする。この画像ファイルＡはビットマップ画像とされており、切出範囲データにより画像ファイルＡにおける切出画像データＣの範囲が指定される。切出画像データＣの範囲は、画像ファイルＡのビットマップ左上端の始点からのドット数で示す座標位置（Ｘｐ、Ｙｐ）から、ドット数Ｘｓ（横軸）、Ｙｓ（縦軸）により切り出す矩形の範囲として指定される。このように切り出した切出画像データＣは、表示部１５における表示画面左上端の始点からのドット数で示す座標位置（Ｘａ、Ｙａ）により、画像ファイルＡのビットマップ左上端の始点の位置を示すことにより、任意の表示位置に表示させることができる。
【００１６】
２．表示開始イベント
画像バッファに記録されている画像データを表示することを指示するイベントである。この表示開始イベントを定義しておくことにより、事前に画像読込イベントにより画像を作成して画像バッファに記録することができ、このため、画像の表示切り替えをスピーディに行うことができるようになる。すなわち、画像読込イベントによる画像データの読み込みと独立して、その画像データの表示開始タイミングを設定できることにより、楽音の再生に合わせて表示した画像の一部を順に変更させた画像をタイムラグを生じることなく表示することができ、楽音に同期して動画のような効果を与えた画像を表示部１５に表示することができるようになる。
【００１７】
３．表示終了イベント
表示されている画像バッファの画像データを消去することを指示するイベントである。表示開始イベントによる表示の表示後は画像バッファに読み込まれている画像データに基づく画像が表示部１５に表示され続けるため、表示終了した際に表示部１５に表示されている画像をクリアして基本画像に戻すために表示終了イベントが定義されている。このため、ＳＭＦファイルの最後には必ず表示終了イベントが入っている。
【００１８】
４．特殊表示イベント
画像バッファの画像データを、「真っ黒」もしくは「真っ白」にすることを指示するイベントである。例えば、真っ黒にした画面上に画像読込イベントにより画像データを貼り付ける時等に特殊表示イベントが挿入される。
【００１９】
次に、本発明にかかる同期再生プログラムを備える同期再生装置１において実行される演奏データの読出処理のフローチャートを図４に示す。この演奏データの読出処理は、演奏データの再生が開始されてから終了されるまでの間の再生中において、ＭＩＤＩクロックタイミングごとに起動されて、読み出されたイベントの種類に対応する処理を起動している。
ＭＩＤＩクロックタイミングになると、演奏データの読出処理が起動されステップＳ１０にて今回のＭＩＤＩクロックタイミングにおいて処理すべきイベントが再生している演奏データ中にあるか否かが演奏データ中のタイミングデータから判断される。ここで、今回のＭＩＤＩクロックタイミングにおいて処理すべきイベントがあると判断された場合は、ステップＳ１１に進み今回のＭＩＤＩクロックタイミングにおいて処理すべきイベントの種類が楽音用のイベントか画像用のイベントかが判定される。次いで、判定されたイベントの種類に対応するイベント処理がステップＳ１２で実行され、この処理が終了すると演奏データの読出処理は終了する。ここで、今回のＭＩＤＩクロックタイミングにおいて処理すべきイベントが複数個ある場合は、記録されている順で判定されたイベントの種類に対応するイベント処理が順次にすべて実行される。
【００２０】
なお、ステップＳ１１で判定されたイベントが楽音用のイベントであった場合は、ステップＳ１２において演奏データから読み出された楽音用のイベントが音源回路１８へ送られる。音源回路１８は送られた楽音用のイベントに基づく処理が実行されて楽音波形データが生成される。この楽音用のイベントには、ノートオン（発音開始）、ノートオフ（発音終了）、プログラムチェンジ（音色変更）、コントロールチェンジ（音高変更や効果付与）などのイベントが含まれている。生成された楽音波形データはサウンドシステム１７へ供給され、供給された楽音波形データに基づく楽音が再生されてサウンドシステム１７から放音されるようになる。
【００２１】
また、ステップＳ１１で判定されたイベントが画像用のイベントであった場合は、ステップＳ１２において画像用のイベントの種類に応じた処理が実行される。画像用のイベントの種類には前述したように、画像読込イベント、表示開始イベント、表示終了イベントおよび特殊表示イベントがあり、それぞれのイベントに対応する画像読込処理、表示開始処理、表示終了処理および特殊表示処理のいずれかの処理がステップＳ１２で起動されて実行される。
【００２２】
ここで、画像用のイベントと判定されたイベントが画像読込イベントと判定された場合に起動される画像読込処理のフローチャートを図５に示す。
画像読込処理が起動されると、ステップＳ２０にて今回処理する画像読込イベントに含まれる画像指定データで指定される画像ファイルの画像データがＲＡＭ１２等の記憶手段から読み出されて開かれる。この開かれた画像ファイルのイメージが図２に示す画像ファイルＡとされる。次いで、ステップＳ２１にて前記開かれた画像ファイルの画像データから、前記画像読込イベントに含まれる切出範囲データで指定される範囲の画像データが切り出される。この切出範囲データは、図３においてドット数で示す座標位置（Ｘｐ、Ｙｐ）とドット数Ｘｓ、Ｙｓである。そして、ステップＳ２２にて前記切り出した画像データ（切出画像データ）を、画像バッファに記録されている画像データ中の、前記画像読込イベントに含まれる表示位置データで指示されている位置へ上書きすることにより貼り付けて画像読込処理は終了し、演奏データの読込処理にリターンされる。ここで、画像バッファとは、演奏データから読み出される画像用のイベントで指示される画像データ（表示部１５へ表示する画像を表す画像データ）を一時的に記録しておくバッファ（画像記憶手段）であり、図３に示す表示部１５で表示できる１画面分の画像データを記録することができる記憶領域を有している。画像バッファは、ＲＡＭ１２の記憶領域を割り当てて構成されたり、表示回路１６に設けられた記憶手段により構成される。また、表示位置データは、図３においてドット数で示す座標位置（Ｘａ、Ｙａ）とされる。
【００２３】
次に、画像用のイベントと判定されたイベントが表示開始イベントと判定された場合に起動される表示開始処理のフローチャートを図６に示す。
表示開始処理が起動されると、ステップＳ３０にて表示回路１６に表示開始指示が与えられて画像バッファに記録されている画像データが表示部１５に表示される。これにより表示開始処理は終了し、演奏データの読込処理にリターンされる。なお、前述した画像読込処理により切り出された画像データが画像バッファに記録されている画像データに貼り付けられ表示部１５に表示されるイメージが、図３に示す切出画像データＣとして示されている。
【００２４】
次に、画像用のイベントと判定されたイベントが表示終了イベントと判定された場合に起動される表示終了処理のフローチャートを図７に示す。
表示終了処理が起動されると、ステップＳ４０にて基本画面の画像データがＲＯＭ１１やＲＡＭ１２等の記憶手段から読み出されて表示回路１６に供給されて、表示部１５に基本画像が表示される。これにより表示終了処理は終了し、演奏データの読込処理にリターンされる。ここで、基本画面とは、演奏データが再生されていないときに表示部へ表示する画面であり、ユーザが演奏データを選択したり、その再生の開始や終了を指示するための画面とされている。この基本画面の画像データは、画像バッファとは独立したＲＯＭ１１やＲＡＭ１２等の記憶手段に予め記録されている。
【００２５】
次に、画像用のイベントと判定されたイベントが特殊表示イベントであった場合に起動される特殊表示処理のフローチャートを図８に示す。
特殊表示処理が起動されると、ステップＳ５０にて画像バッファ上の画像データが真っ黒や真っ白等の特殊表示の状態に書き換えられる。これにより特殊表示処理は終了し、演奏データの読込処理にリターンされる。そして、前述した画像読込処理が行われ、次いで表示開始処理が行われることにより、特殊表示画面上に画像読込処理で貼り付けられた画像データに基づく画像が表示部１５に表示されるようになる。
【００２６】
以上説明した本発明の楽音と画像の同期再生装置および同期再生プログラムによれば、１つの画像ファイルから一部の画像データのみを切り出して、表示部１５に表示する画像データへ反映することができるようになる。そこで、複数の画像データを一つの画像ファイルとして記録しておき、その画像ファイルからタイミングをずらして、一部ずつの画像データを切り出すことができるようになる。このため、極めて少ない画像ファイル数で、表示部１５に表示される画像を多様に切り替えたり動画のような効果を与えることができるようになる。この場合、画像ファイル数が減少することから、演奏データをＳＭＦとした際にＳＭＦと共に使用する全画像ファイルの移動やコピーを簡単に行うことができるようになる。
また、本発明においては、表示部１５に表示する画像データは表示開始が指示されたタイミングでは作成していない。本発明では、表示部１５に表示する画像データの作成と、その画像データの表示開始とを独立して指示できるようにしている。これにより、画像データを表示開始のタイミングよりも前に作成しておくことができるため、表示開始の指示を受けたときに画像データを迅速に表示部１５へ表示することができるようになる。したがって、楽音の発音の進行に対して遅れることなく、表示開始が指示されたジャストのタイミングで事前に作成された所望の画像を表示部１５に表示できるようになる。
【００２７】
なお、表示開始イベントが読み出された後は、表示部１５に表示される画像を手動では変更できないように制御するようにしてもよい。また、表示開始イベントが読み出された後は、画像バッファのデータが更新されるたびに、更新後の新たな画像を表示部に表示し、表示終了イベントが読み出されたときに画像バッファのデータによる画像の表示を停止して、表示開始イベントが読み出される前の画像を表示するようにしてもよい。
また、ＲＯＭ１１に同期再生プログラム等の動作プログラムが記憶されていない場合、ハードディスクやＣＤ−ＲＯＭに動作プログラムやデータを記憶させておいてそれをＲＡＭ１２に読み込んだり、通信インタフェース２０を介してサーバコンピュータと接続してサーバコンピュータから動作プログラムやデータをダウンロードすることで、ＲＯＭ１１に動作プログラムやデータを記憶している場合と同様の動作をＣＰＵ１０にさせるようにしてもよい。
さらに、画像バッファに記録される画像データや切出画像データを、輝度や色合いあるいは表示位置や表示サイズなどを制御する映像効果パラメータで制御してから画像バッファに記録するようにしても良い。
【産業上の利用可能性】
【００２８】
以上の説明では、本発明に係る同期再生プログラムは楽音と画像の同期再生装置に備えられるものとしたが、これに限るものではなく種々の楽音関連装置に備えさせることにより楽音と画像の同期再生装置を実現することができる。この場合には、同期再生プログラムを記録媒体に記録して種々の楽音関連装置に組み込むようにすればよい。
【図面の簡単な説明】
【００２９】
【図１】本発明の実施例の同期再生プログラムを備える楽音と画像の同期再生装置の構成を示すブロック図である。
【図２】本発明の楽音と画像の同期再生装置における画像ファイルのイメージを示す図である。
【図３】本発明の楽音と画像の同期再生装置における表示部に画像ファイルの一部を切り出して表示するイメージを示す図である。
【図４】本発明の楽音と画像の同期再生装置において実行される演奏データの読出処理のフローチャートである。
【図５】本発明の楽音と画像の同期再生装置において実行される画像読込処理のフローチャートである。
【図６】本発明の楽音と画像の同期再生装置において実行される表示開始処理のフローチャートである。
【図７】本発明の楽音と画像の同期再生装置において実行される表示終了処理のフローチャートである。
【図８】本発明の楽音と画像の同期再生装置において実行される特殊表示処理のフローチャートである。
【符号の説明】
【００３０】
１  同期再生装置、１０  ＣＰＵ、１１  ＲＯＭ、１２  ＲＡＭ、１３  操作子、１４  検出回路、１５  表示部、１６  表示回路、１７  サウンドシステム、１８  音源回路、１９  外部制御機器、２０  通信インタフェース、２１  通信バス
【図１】
2006166055.tif 000003
【図２】
2006166055.tif 000004
【図３】
2006166055.tif 000005
【図４】
2006166055.tif 000006
【図５】
2006166055.tif 000007
【図６】
2006166055.tif 000008
【図７】
2006166055.tif 000009
【図８】
2006166055.tif 000010